(57)【要約】【課題】原稿の読み取りを伴うジョブを実行するユーザーの利便性を向上させる。【解決手段】画像形成装置は、ユーザーにより操作される先読みボタンと、先読みボタンに対して操作が行われると、原稿を読み取り、読み取った原稿の画像データである先読みデータを生成する先読み処理を開始する画像読取部と、先読みボタンに対する操作が行われて以降、先読み処理の実行中であっても、先読みデータを用いるジョブに関する設定操作を受け付ける操作部と、設定操作により設定された設定内容に基づき、先読みデータを用いるジョブを実行するための処理を行う制御部と、を備える。【選択図】図２
2018037995.tif 000002
【特許請求の範囲】
【請求項１】
ユーザーにより操作される先読みボタンと、
前記先読みボタンに対して操作が行われると、原稿を読み取り、読み取った原稿の画像データである先読みデータを生成する先読み処理を開始する画像読取部と、
前記先読みボタンに対する操作が行われて以降、前記先読み処理の実行中であっても、前記先読みデータを用いるジョブに関する設定操作を受け付ける操作部と、
前記設定操作により設定された設定内容に基づき、前記先読みデータを用いるジョブを実行するための処理を行う制御部と、を備えることを特徴とする画像形成装置。
【請求項２】
前記画像読取部は、第１コンタクトガラスおよび第２コンタクトガラスを有し、前記第１コンタクトガラス上に載置された原稿を読み取って原稿の画像データを生成する載置読取および前記第２コンタクトガラス上に搬送される原稿を読み取って原稿の画像データを生成する搬送読取の実行が可能であり、
原稿載置トレイを含み、前記搬送読取の実行時に、前記原稿載置トレイに載置された原稿を前記第２コンタクトガラス上に搬送する原稿搬送部と、
前記原稿載置トレイに原稿が載置されているか否かに応じて出力値を変化させるトレイセンサーと、を備え、
前記制御部は、前記先読みボタンに対して操作が行われたとき、前記トレイセンサーの出力値に基づき前記原稿載置トレイに原稿が載置されているか否かの判断を行い、前記原稿載置トレイに原稿が載置されていると判断したとき、前記原稿搬送部に原稿の搬送を行わせるとともに前記画像読取部に前記搬送読取を行わせることによって前記先読みデータを生成させる一方、前記原稿載置トレイに原稿が載置されていないと判断したとき、前記画像読取部に前記載置読取を行わせることによって前記先読みデータを生成させることを特徴とする請求項１に記載の画像形成装置。
【請求項３】
画像を印刷する印刷部と、
外部機器と通信する通信部と、
データを記憶する記憶部と、を備え、
前記操作部は、前記印刷部を用いて前記先読みデータに基づく画像を印刷するジョブ、前記通信部を介して前記先読みデータを前記外部機器に送信するジョブ、および、前記記憶部に前記先読みデータを記憶するジョブ、のうちから実行するジョブを選択するジョブ選択操作を前記設定操作として受け付けることを特徴とする請求項１または２に記載の画像形成装置。
【請求項４】
前記操作部は、前記ジョブ選択操作により選択されたジョブの実行条件を設定する条件設定操作を前記設定操作として受け付けることを特徴とする請求項３に記載の画像形成装置。
【発明の詳細な説明】
【技術分野】
【０００１】
本発明は、原稿を読み取って原稿の画像データを生成する画像形成装置に関する。
【背景技術】
【０００２】
複合機や複写機、ファクシミリ装置などの画像形成装置には、原稿を読み取って原稿の画像データを生成する画像読取部が備えられる。画像読取部を備えた画像形成装置では、原稿の読み取りを伴うジョブ（たとえば、原稿の読み取りによって得られた原稿の画像データに基づく画像を用紙に印刷するコピージョブなど）を実行することができる。
【０００３】
また、通常、原稿の読み取りを伴うジョブの実行が可能な画像形成装置には、操作パネルが設けられる。操作パネルは、ジョブの実行条件を設定する設定操作をユーザーから受け付ける。そして、画像形成装置は、設定操作により設定された実行条件に基づき、ジョブを実行する。
【０００４】
ここで、特許文献１の画像形成装置（ファクシミリ装置）は、画像形成装置に原稿がセットされたことを検知したとき、原稿の読み取りを開始する。そして、原稿の読み取り中に、ジョブの実行条件を設定する設定操作（宛先を入力する操作）をユーザーから受け付ける。この構成では、画像形成装置が原稿の読み取りを開始してから終了するまでの時間を有効利用することができる。
【先行技術文献】
【特許文献】
【０００５】
【特許文献１】特開平２−１５９８８０号公報
【発明の概要】
【発明が解決しようとする課題】
【０００６】
しかし、特許文献１の画像形成装置では、ユーザーが所望の原稿とは異なる原稿を誤って画像形成装置にセットすると、誤ってセットした原稿の読み取り（不要な読み取り）が開始されてしまう。この場合には、不要な読み取りによって生成された原稿の画像データを消去するなどの作業を行わなければならず、ユーザーにとっては利便性が悪い。
【０００７】
本発明は、上記課題を解決するためになされたものであり、原稿の読み取りを伴うジョブを実行するユーザーの利便性を向上させることが可能な画像形成装置を提供することを目的とする。
【課題を解決するための手段】
【０００８】
上記目的を達成するため、本発明の画像形成装置は、ユーザーにより操作される先読みボタンと、先読みボタンに対して操作が行われると、原稿を読み取り、読み取った原稿の画像データである先読みデータを生成する先読み処理を開始する画像読取部と、先読みボタンに対する操作が行われて以降、先読み処理の実行中であっても、先読みデータを用いるジョブに関する設定操作を受け付ける操作部と、設定操作により設定された設定内容に基づき、先読みデータを用いるジョブを実行するための処理を行う制御部と、を備える。
【０００９】
本発明の構成では、ユーザーが先読みボタンに対して操作を行うと、画像読取部による先読み処理が開始される。そして、ユーザーが先読みボタンに対する操作を行って以降、先読み処理の実行中であっても、先読みデータを用いるジョブに関する設定操作の受け付けが操作部により行われる。これにより、画像読取部による先読み処理の実行中に、先読みデータを用いるジョブに関する設定操作を行うことができる。その結果、画像読取部が先読み処理を実行している間の時間（本来は待ち時間となる時間）を有効利用することができるので、ユーザーの利便性が向上する。
【００１０】
ここで、本発明の構成では、ユーザーが先読みボタンに対する操作を行ったとき、当該操作をトリガーに画像読取部が先読み処理を開始する。すなわち、先読みボタンに対する操作を行わなければ、原稿の読み取りは開始されない。これにより、ユーザーが所望の原稿とは異なる原稿を誤って画像形成装置にセットしたとしても、画像形成装置に原稿をセットしただけでは原稿の読み取りは開始されないので、誤ってセットした原稿の読み取り（不要な読み取り）が開始されるのを抑制することができる。その結果、ユーザーの利便性がより向上する。
【発明の効果】
【００１１】
本発明の構成では、原稿の読み取りを伴うジョブを実行するユーザーの利便性を向上させることができる。
【図面の簡単な説明】
【００１２】
【図１】本発明の一実施形態による複合機の全体構成を示す図
【図２】本発明の一実施形態による複合機に設置される操作パネルの構成を示す図
【図３】本発明の一実施形態による複合機のハードウェア構成を示す図
【図４】本発明の一実施形態による複合機が表示する設定画面（コピー設定画面）を示す図
【図５】本発明の一実施形態による複合機が表示する設定画面（送信設定画面）を示す図
【図６】本発明の一実施形態による複合機に設置する先読みボタンの設置個所を示す図
【図７】本発明の一実施形態による複合機が表示画面を通常の設定画面から先読み用設定画面に切り替えるときの図
【図８】本発明の一実施形態による複合機が先読みデータ使用ジョブに関する設定操作を受け付けるときに行う処理の流れを示すフローチャート
【図９】本発明の一実施形態による複合機が行う先読み処理の流れを示すフローチャート
【図１０】本発明の一実施形態による複合機が表示する確認画面を示す図
【発明を実施するための形態】
【００１３】
＜複合機の構成＞
図１に示すように、本実施形態の複合機１００（「画像形成装置」に相当）は、印刷部１０を備える。印刷部１０は、用紙搬送路１０Ｐに沿って用紙を搬送する。また、印刷部１０は、印刷すべき画像（たとえば、後述する画像読取部２０が読み取った画像）の画像データに基づきトナー像を形成する。そして、印刷部１０は、搬送中の用紙にトナー像を印刷する。なお、印刷部１０は、用紙カセットに収容された用紙を用紙搬送路１０Ｐに給紙する給紙部１１、トナー像を形成して用紙に転写する画像形成部１２、および、用紙に転写されたトナー像を用紙に定着させる定着部１３などで構成される。
【００１４】
また、複合機１００は、画像読取部２０および原稿搬送部３０を備える。画像読取部２０は、ランプ２１やイメージセンサー２２などを含み、原稿Ｄを光学的に読み取る。ランプ２１やイメージセンサー２２などは、画像読取部２０の筐体である読取筐体の内部に収容される。
【００１５】
読取筐体の上面には、コンタクトガラスＧ１およびＧ２が嵌め込まれる。コンタクトガラスＧ１は載置読取用のコンタクトガラスであり、コンタクトガラスＧ２は搬送読取用のコンタクトガラスである。なお、コンタクトガラスＧ１は「第１コンタクトガラス」に相当し、コンタクトガラスＧ２は「第２コンタクトガラス」に相当する。
【００１６】
原稿搬送部３０は、ユニット化され、読取筐体の上面に対して開閉可能に取り付けられる。この原稿搬送部３０は、原稿搬送路３０Ｐ、原稿載置トレイ３１および原稿排出トレイ３２を含む。原稿搬送路３０Ｐは、原稿載置トレイ３１からコンタクトガラスＧ２上の所定位置（搬送読取の読取位置ＲＰ）を経由し原稿排出トレイ３２に至る。そして、原稿搬送部３０は、原稿載置トレイ３１に載置された原稿Ｄを原稿搬送路３０Ｐに給紙するとともに、原稿搬送路３０Ｐに沿って原稿Ｄを搬送し、原稿排出トレイ３２に原稿Ｄを排出する。
【００１７】
載置読取では、ユーザーによってコンタクトガラスＧ１上に原稿Ｄが載置される。そして、画像読取部２０は、コンタクトガラスＧ１上に載置された原稿Ｄを読み取り、当該読み取った原稿Ｄの画像データを生成する。
【００１８】
搬送読取では、ユーザーによって原稿載置トレイ３１に原稿Ｄが載置される。原稿搬送部３０は、原稿載置トレイ３１の原稿Ｄを原稿搬送路３０Ｐに給紙し原稿搬送路３０Ｐに沿って搬送する。これにより、コンタクトガラスＧ２上の読取位置ＲＰを原稿Ｄが通過する。そして、画像読取部２０は、読取位置ＲＰを通過する原稿Ｄを読み取り、当該読み取った原稿Ｄの画像データを生成する。
【００１９】
また、複合機１００は、図２に示すような操作パネル４０を備える。たとえば、操作パネル４０は、画像読取部２０の読取筐体に設置される（図６参照）。なお、操作パネル４０は「操作部」に相当する。
【００２０】
操作パネル４０は、タッチパネルディスプレイ４１を含む。タッチパネルディスプレイ４１は、ソフトウェアキーなどを配した画面を表示し、表示画面（ソフトウェアキー）に対するタッチ操作をユーザーから受け付ける。また、操作パネル４０には、複数種のハードウェアキー４２が設けられる。たとえば、ハードウェアキー４２として、ジョブのスタート指示をユーザーから受け付けるためのスタートボタン４３などが操作パネル４０に設けられる。
【００２１】
また、複合機１００は、図３に示すように、制御部１１０、記憶部１２０および通信部１３０を備える。制御部１１０は、ＣＰＵ１１１、メモリー１１２および画像処理モジュール１１３を含む。ＣＰＵ１１１は、複合機１００を制御するための処理を実行する。メモリー１１２は、ＣＰＵ１１１を動作させるための制御用のプログラムやデータを記憶する。
【００２２】
画像処理モジュール１１３は、画像処理用の回路やメモリーなどを含む。たとえば、画像読取部２０による原稿Ｄの読み取りを伴うジョブでは、画像読取部２０による原稿Ｄの読み取りによって得られた原稿Ｄの画像データがメモリー１１２に一旦格納される。そして、画像処理モジュール１１３は、原稿Ｄの画像データに対して画像処理を行うことにより、原稿Ｄの画像データを実行ジョブの種類に応じたデータに変換する。たとえば、実行ジョブがコピージョブである場合、画像処理モジュール１１３は、画像形成部１２で行われる露光（原稿Ｄの画像データに基づく静電潜像を形成するための露光）を制御するための露光用データを生成する。
【００２３】
制御部１１０は、印刷部１０に接続され、印刷部１０の印刷動作を制御する。また、制御部１１０は、画像読取部２０に接続され、画像読取部２０の画像読取動作を制御する。なお、制御部１１０は、載置読取の実行時には載置読取用の制御を行い、搬送読取の実行時には搬送読取用の制御を行う。搬送読取用の制御は、原稿搬送部３０の原稿搬送動作の制御を含む。原稿搬送部３０の原稿搬送動作の制御では、原稿載置トレイ３１に載置された原稿Ｄの状態（原稿Ｄが載置されているか否か）の検知が必要となる。このため、制御部１１０には、トレイセンサー３０Ｓが接続される。
【００２４】
トレイセンサー３０Ｓは、原稿載置トレイ３１における原稿Ｄの有無に応じて出力値を変化させる。このトレイセンサー３０Ｓの出力値に基づき、制御部１１０は、原稿載置トレイ３１に原稿Ｄが載置されているか否か（原稿載置トレイ３１に未読取原稿Ｄが残っているか否か）を判断する。
【００２５】
また、制御部１１０は、操作パネル４０に接続される。そして、制御部１１０は、タッチパネルディスプレイ４１の表示動作を制御する。さらに、制御部１１０は、タッチパネルディスプレイ４１（ソフトウェアキー）に対するタッチ操作やハードウェアキー４２に対する押下操作を検知する。
【００２６】
記憶部１２０は、ＲＯＭ（ＥＥＰＲＯＭなど）やＨＤＤなどの不揮発性の記憶デバイスを含む。制御部１１０は、記憶部１２０に接続され、記憶部１２０からのデータの読み出しや記憶部１２０へのデータの書き込みを行う。たとえば、記憶部１２０には、画像読取部２０による原稿Ｄの読み取りによって得られた原稿Ｄの画像データが記憶される。
【００２７】
通信部１３０は、通信回路やメモリー、通信用コネクターを含む。制御部１１０は、通信部１３０に接続され、通信部１３０を介して、外部機器３００と通信する。たとえば、複合機１００には、パーソナルコンピューター、携帯情報端末（スマートフォンやタブレット端末など）、および、ファクシミリ装置などが通信可能に接続される。複合機１００に外部機器３００を通信可能に接続すると、複合機１００（画像読取部２０）で読み取った原稿Ｄの画像データを外部機器３００に送信することができる。
【００２８】
＜操作パネルの表示画面＞
原稿Ｄの読み取りを伴うジョブとしては、コピージョブ、送信ジョブ（ＦＡＸジョブを含む）およびボックスジョブなど、複数種存在する。コピージョブは、印刷部１０を用いて原稿Ｄの画像データに基づく画像を用紙に印刷するジョブである。送信ジョブは、通信部１３０を介して原稿Ｄの画像データを外部機器３００に送信するジョブである。ボックスジョブは、記憶部１２０の所定の保存領域に原稿Ｄの画像データを保存するジョブである。
【００２９】
複数種のジョブのいずれを実行するかについては、ユーザーによって選択される。実行ジョブを選択する操作であるジョブ選択操作の受け付けは操作パネル４０が行う。たとえば、操作パネル４０には、複数種のジョブにそれぞれ対応する複数の選択ボタン４４がハードウェアキー４２として設けられる（図２参照）。そして、操作パネル４０は、複数の選択ボタン４４のいずれかに対する押下操作をジョブ選択操作として受け付ける。なお、選択ボタン４４に相当するソフトウェアキーを操作パネル４０に表示し、当該ソフトウェアキーに対するタッチ操作をジョブ選択操作として受け付けてもよい。
【００３０】
制御部１１０は、ジョブ選択操作を検知すると、ジョブ選択操作の操作対象となった選択ボタン４４に対応するジョブの実行条件を設定する操作である条件設定操作の受け付けを操作パネル４０に行わせる。このとき、操作パネル４０は、設定画面４１０（図４および図５参照）を表示する。
【００３１】
たとえば、コピージョブが選択された場合、操作パネル４０は、図４に示すようなコピー設定画面４１０Ｃを設定画面４１０として表示する。コピー設定画面４１０Ｃには、「用紙サイズ」や「濃度」など複数の設定項目にそれぞれ対応する複数の項目ボタンＢが配される。また、複数の項目ボタンＢの各表示領域には、対応する設定項目の現在の設定内容が表示される。
【００３２】
制御部１１０は、複数の項目ボタンＢのいずれかに対して操作が行われると、条件設定操作を受け付けるための詳細設定画面（図示せず）を操作パネル４０に表示させる。たとえば、複数の項目ボタンＢのうち用紙サイズボタンに対して操作を行った場合には、コピージョブで用いる用紙サイズを設定するためのサイズ設定画面が詳細設定画面として表示される。これにより、コピージョブで用いる用紙サイズを設定することができる。なお、用紙サイズボタン以外の項目ボタンＢに対して操作を行った場合には、当該項目ボタンＢに対応する詳細設定画面が表示される。
【００３３】
送信ジョブが選択された場合、操作パネル４０は、図５に示すような送信設定画面４１０Ｓを設定画面４１０として表示する。送信設定画面４１０Ｓは、送信ジョブの実行条件を設定するための画面である。この送信設定画面４１０Ｓでは、たとえば、データ送信先の設定などを行うことができる。
【００３４】
ボックスジョブが選択された場合、操作パネル４０は、図示しないが、ボックス設定画面を設定画面４１０として表示する。ボックス設定画面は、ボックスジョブの実行条件を設定するための画面である。このボックス設定画面では、データ保存先などの設定を行うことができる。
【００３５】
＜原稿の先読み＞
制御部１１０は、設定画面４１０の表示中に、スタートボタン４３に対する押下操作を検知すると、現在表示中の設定画面４１０に対応するジョブを開始する。すなわち、制御部１１０は、画像読取部２０による原稿Ｄの読み取りを開始させる。そして、制御部１１０は、現在表示中の設定画面４１０で設定された実行条件に基づきジョブを実行するための処理を行う。
【００３６】
たとえば、現在表示中の設定画面４１０がコピー設定画面４１０Ｃである場合、制御部１１０は、画像読取部２０による原稿Ｄの読み取りによって得られた原稿Ｄの画像データに対して画像処理を行うことにより、コピー設定画面４１０Ｃで設定された実行条件に応じた露光用データを生成する。また、制御部１１０は、露光用データを画像形成部１２に出力する。これにより、画像形成部１２では、原稿Ｄの画像データに基づく画像（コピー設定画面４１０Ｃでの設定内容を反映した画像）が形成される。
【００３７】
スタートボタン４３に対する押下操作をトリガーにジョブを開始した場合、制御部１１０は、実行中のジョブが完了するまで、ジョブの実行条件の設定（変更）の受け付けを操作パネル４０に行わせない。しかし、ユーザーによっては、原稿Ｄの読み取りを先に開始してから、ジョブの実行条件を設定したい場合がある（条件設定操作を行いたい場合がある）。また、ユーザーによっては、原稿Ｄの読み取りを先に開始してから、実行するジョブを選択したい場合がある（ジョブ選択操作を行いたい場合がある）。
【００３８】
このため、複合機１００には、原稿Ｄの読み取りを先に開始するための先読みボタン５０（図２および図６参照）が設けられる。たとえば、先読みボタン５０は、操作パネル４０に配置される。あるいは、図６に示すように、原稿搬送部３０の筐体の前側領域３０ａや上側領域３０ｂを先読みボタン５０の設置個所としてもよい。
【００３９】
たとえば、先読みボタン５０の下方（筐体の内部）には、先読みボタン５０に押圧されることによってオンオフが切り替わるタクタイルスイッチのようなスイッチ部材を含むスイッチ基板が設けられる。そして、制御部１１０は、スイッチ部材のオンオフによって、先読みボタン５０に対する押下操作の検知を行う。
【００４０】
制御部１１０は、先読みボタン５０に対する押下操作を検知したとき、画像読取部２０に先読み指示を与える。画像読取部２０は、制御部１１０から先読み指示を受けると、原稿Ｄの読み取りを開始し、読み取った原稿Ｄの画像データである先読みデータを生成する先読み処理を行う。
【００４１】
また、制御部１１０は、先読みボタン５０に対する押下操作を検知したとき、操作パネル４０に指示し、先読み用設定画面４２０（図７下図参照）の表示を行わせる。この先読み用設定画面４２０は、通常の設定画面４１０と同様の画面である。ただし、先読み用設定画面４２０には、原稿Ｄの読み取り中である旨を報知するための報知メッセージＭＧ１が表示される。また、先読み用設定画面４２０には、先読み用設定画面４２０で設定した実行条件の確定指示を受け付けるためソフトウェアキーである確定ボタンＤＢが表示される。
【００４２】
たとえば、通常のコピー設定画面４１０Ｃの表示中に先読みボタン５０に対して押下操作を行った場合には、図７に示すように、コピー設定画面４１０Ｃに報知メッセージＭＧ１と確定ボタンＤＢとを追加配置した画面が先読み用設定画面４２０として表示される。なお、図示しないが、コピー設定画面４１０Ｃ以外の設定画面４１０の表示中に先読みボタン５０に対して押下操作を行った場合にも、同様に、先読みボタン５０の押下操作時に表示されていた設定画面４１０から、当該設定画面４１０に報知メッセージＭＧ１と確定ボタンＤＢとが追加配置された先読み用設定画面４２０に表示画面が切り替わる。
【００４３】
ここで、制御部１１０は、先読みボタン５０に対する押下操作を検知して以降、画像読取部２０による先読み処理が実行中であっても、先読みデータを用いるジョブ（以下、先読みデータ使用ジョブと称する場合がある）に関する設定操作の受け付けを操作パネル４０に行わせる。具体的に、操作パネル４０は、コピージョブ、送信ジョブおよびボックスジョブのうち先読みデータ使用ジョブとして実行するジョブを選択するためのジョブ選択操作（選択ボタン４４に対する押下操作）をユーザーから受け付ける。また、操作パネル４０は、先読みデータ使用ジョブの実行条件を設定するための条件設定操作（先読み用設定画面４２０に対するタッチ操作）をユーザーから受け付ける。
【００４４】
制御部１１０は、先読み用設定画面４２０の確定ボタンＤＢに対するタッチ操作を検知すると、現在表示中の先読み用設定画面４２０で設定された実行条件を確定済みの実行条件としてメモリー１１２に記憶する。そして、制御部１１０は、先に読み取るべき全原稿Ｄの読み取りが終了した後、確定済みの実行条件に基づき、先読みデータ使用ジョブを実行するための処理を行う。
【００４５】
たとえば、先読みデータ使用ジョブがコピージョブである場合、制御部１１０は、確定済みの実行条件に基づき、先読みデータを露光用データに変換する。そして、制御部１１０は、露光用データを画像形成部１２に出力することにより、先読みデータに基づく画像の用紙への印刷を印刷部１０に行わせる。
【００４６】
先読みデータ使用ジョブが送信ジョブである場合、制御部１１０は、確定済みの実行条件に応じた画像処理を先読みデータに対して行う。そして、制御部１１０は、確定済みの実行条件に基づきデータ送信先を認識し、当該認識したデータ送信先に先読みデータを送信する。
【００４７】
先読みデータ使用ジョブがボックスジョブである場合、制御部１１０は、確定済みの実行条件に応じた画像処理を先読みデータに対して行う。そして、制御部１１０は、確定済みの実行条件に基づきデータ保存先を認識し、当該認識したデータ保存先に先読みデータを保存する。
【００４８】
以下に、図８および図９に示すフローチャートを参照し、先読みボタン５０に対して押下操作が行われた場合の処理の流れについて説明する。図８は、先読みデータ使用ジョブに関する設定操作を受け付けるときに行う処理の流れを示すフローチャートである。図９は、先読み処理の流れを示すフローチャートである。
【００４９】
図８および図９に示すフローチャートの各スタートは、先読みボタン５０に対する押下操作を制御部１１０が検知したときである。そして、図８および図９に示すフローチャートに沿った各処理は、並行して行われる。
【００５０】
まず、図８に示すフローチャートを参照し、先読みデータ使用ジョブに関する設定操作を受け付けるときに行う処理の流れを説明する。
【００５１】
ステップＳ１において、制御部１１０は、先読み用設定画面４２０を操作パネル４０に表示させる。そして、制御部１１０は、ジョブ選択操作および条件設定操作の受け付けを操作パネル４０に行わせる。
【００５２】
また、ステップＳ２において、制御部１１０は、先読み用設定画面４２０の確定ボタンＤＢをタッチする操作である確定操作（先読み用設定画面４２０で設定した設定内容を確定するための操作）を操作パネル４０が受け付けたか否かを判断する。その結果、確定操作を受け付けたと制御部１１０が判断した場合には、ステップＳ３に移行する。ステップＳ３に移行すると、制御部１１０は、確定済みの実行条件（先読み用設定画面４２０で設定された設定内容）をメモリー１１２に記憶する。
【００５３】
ステップＳ２において、確定操作を受け付けていないと制御部１１０が判断した場合には、ステップＳ１に移行する。この場合、制御部１１０は、ジョブ選択操作および条件操作の受け付けを引き続き操作パネル４０に行わせる。
【００５４】
次に、図９に示すフローチャートを参照し、先読み処理の流れを説明する。
【００５５】
ステップＳ１１において、制御部１１０は、トレイセンサー３０Ｓの出力値に基づき、原稿載置トレイ３１に原稿Ｄが載置されているか否かを判断する。その結果、原稿載置トレイ３１に原稿Ｄが載置されていないと制御部１１０が判断した場合には、ステップＳ１２に移行し、原稿載置トレイ３１に原稿Ｄが載置されていると制御部１１０が判断した場合には、ステップＳ１３に移行する。
【００５６】
ステップＳ１２に移行した場合、制御部１１０は、画像読取部２０に載置読取を行わせる。すなわち、制御部１１０は、コンタクトガラスＧ１上に載置された原稿Ｄを読み取って原稿Ｄの画像データ（先読みデータ）を生成し、当該生成した先読みデータをメモリー１１２に記憶する処理を先読み処理として画像読取部２０に行わせる。
【００５７】
ステップＳ１３に移行した場合、制御部１１０は、画像読取部２０に搬送読取を行わせる。すなわち、制御部１１０は、原稿載置トレイ３１に載置された原稿ＤのコンタクトガラスＧ２上への搬送を原稿搬送部３０に行わせる。そして、制御部１１０は、コンタクトガラスＧ２上に搬送される原稿Ｄを読み取って原稿Ｄの画像データ（先読みデータ）を生成し、当該生成した先読みデータをメモリー１１２に記憶する処理を先読み処理として画像読取部２０に行わせる。
【００５８】
画像読取部２０に搬送読取を実行させた場合、ステップＳ１４において、制御部１１０は、トレイセンサー３０Ｓの出力値に基づき、原稿載置トレイ３１に未読取原稿Ｄが残っているか否かを判断する。その結果、未読取原稿Ｄが残っていると制御部１１０が判断した場合には、ステップＳ１３に移行し、未読取原稿Ｄが残っていないと制御部１１０が判断した場合には、ステップＳ１５に移行する。なお、画像読取部２０に載置読取を実行させた場合には、ステップＳ１２からステップＳ１５に移行する。
【００５９】
ステップＳ１５に移行すると、制御部１１０は、原稿Ｄの読み取りを終了する旨をユーザーから受け付けたか否かを判断する。たとえば、このとき、制御部１１０は、図１０に示すような確認画面４３０の表示を操作パネル４０に行わせ、原稿Ｄの読み取りを終了するか否かの受け付けを操作パネル４０に行わせる。
【００６０】
確認画面４３０には、原稿Ｄの読み取りを終了する旨を受け付けるためのソフトウェアキーである終了ボタンＥＢが表示される。また、確認画面４３０には、原稿Ｄの読み取りを続行する場合の手順を示す報知メッセージＭＧ２が表示される。たとえば、次原稿Ｄをセットしてから先読みボタン５０を押下するよう促すメッセージが報知メッセージＭＧ２として確認画面４３０に表示される。
【００６１】
そして、制御部１１０は、終了ボタンＥＢに対するタッチ操作を検知すると、原稿Ｄの読み取りを終了する旨を受け付けたと判断する。一方で、制御部１１０は、終了ボタンＥＢに対するタッチ操作を検知せず、先読みボタン５０に対する押下操作を検知すると、原稿Ｄの読み取りを続行する旨（原稿Ｄの読み取りを終了しない旨）を受け付けたと判断する。
【００６２】
たとえば、ユーザーによっては、１ページ目の原稿Ｄだけを複合機１００にセットし、１ページ目の原稿Ｄの読み取りが終わってから、２ページ目の原稿Ｄを複合機１００にセットする場合がある。このため、先読みボタン５０に対する押下時点で複合機１００にセットされていた原稿Ｄを読み取った後、原稿Ｄの読み取りを終了するか否かの受け付けが行われる。
【００６３】
ステップＳ１５において、原稿Ｄの読み取りを終了する旨を受け付けたと制御部１１０が判断した場合には、ステップＳ１６に移行し、原稿Ｄの読み取りを終了する旨を受け付けていない（先読みボタン５０に対する押下操作が行われた）と制御部１１０が判断した場合には、ステップＳ１１に移行する。
【００６４】
ステップＳ１６に移行した場合、制御部１１０は、先読みデータ使用ジョブの実行条件が確定しているか否かを判断する。その結果、先読みデータ使用ジョブの実行条件が確定していると制御部１１０が判断した場合には、ステップＳ１７に移行する。ステップＳ１７に移行すると、制御部１１０は、メモリー１１２に記憶された確定済みの実行条件に基づき、先読みデータ使用ジョブを実行するための処理を行う。
【００６５】
ステップＳ１６において、先読みデータ使用ジョブの実行条件が確定していないと制御部１１０が判断した場合には、先読みデータ使用ジョブの実行条件が確定しているか否かの判断が繰り返される。そして、先読みデータ使用ジョブの実行条件が確定してから、先読みデータ使用ジョブを実行するための処理が行われる（ステップＳ１７に移行する）。
【００６６】
本実施形態の複合機１００（画像形成装置）は、上記のように、ユーザーにより操作される先読みボタン５０と、先読みボタン５０に対して操作が行われると、原稿Ｄを読み取り、読み取った原稿Ｄの画像データである先読みデータを生成する先読み処理を開始する画像読取部２０と、先読みボタン５０に対する操作が行われて以降、画像読取部２０による先読み処理が実行中であっても、先読みデータ使用ジョブに関する設定操作（ジョブ選択操作および条件設定操作）を受け付ける操作パネル４０（操作部）と、先読みデータ使用ジョブに関する設定操作により設定された設定内容に基づき、先読みデータ使用ジョブを実行するための処理を行う制御部１１０と、を備える。
【００６７】
本実施形態の構成では、ユーザーが先読みボタン５０に対して押下操作を行うと、画像読取部２０による先読み処理が開始される。そして、ユーザーが先読みボタン５０に対する押下操作を行って以降、画像読取部２０による先読み処理が実行中であっても、先読みデータ使用ジョブに関する設定操作の受け付けが操作パネル４０により行われる。これにより、画像読取部２０による先読み処理の実行中に、先読みデータ使用ジョブに関する設定操作を行うことができる。その結果、画像読取部２０が先読み処理を実行している間の時間（本来は待ち時間となる時間）を有効利用することができるので、ユーザーの利便性が向上する。
【００６８】
ここで、本実施形態の構成では、ユーザーが先読みボタン５０に対する押下操作を行ったとき、当該押下操作をトリガーに画像読取部２０が先読み処理を開始する。すなわち、先読みボタン５０に対する押下操作を行わなければ、原稿Ｄの読み取りは開始されない。これにより、ユーザーが所望の原稿Ｄとは異なる原稿Ｄを誤って複合機１００にセットしたとしても、複合機１００に原稿Ｄをセットしただけでは原稿Ｄの読み取りは開始されないので、誤ってセットした原稿Ｄの読み取り（不要な読み取り）が開始されるのを抑制することができる。その結果、ユーザーの利便性がより向上する。
【００６９】
また、本実施形態では、上記のように、ユーザーが先読みボタン５０に対して押下操作を行うと、原稿載置トレイ３１に原稿Ｄが載置されているか否かの検知を制御部１１０が行う。そして、原稿載置トレイ３１に原稿Ｄが載置されていると判断したとき、制御部１１０は、原稿搬送部３０に原稿Ｄの搬送を行わせ、コンタクトガラスＧ２上に搬送される原稿Ｄを対象とする先読み処理（搬送読取）を画像読取部２０に行わせる。一方で、原稿載置トレイ３１に原稿Ｄが載置されていない（コンタクトガラスＧ１上に原稿Ｄが載置されている）と判断したとき、制御部１１０は、コンタクトガラスＧ１上に載置された原稿Ｄを対象とする先読み処理（載置読取）を画像読取部２０に行わせる。これにより、原稿Ｄのセット箇所が２つ設けられた複合機１００（載置読取および搬送読取の実行が可能な複合機１００）であっても、ユーザーがセットした原稿Ｄに対する先読み処理を画像読取部２０に行わせることができる。
【００７０】
また、本実施形態では、上記のように、ユーザーが先読みボタン５０に対する押下操作を行って以降、画像読取部２０による先読み処理が実行中であっても、コピージョブ、送信ジョブおよびボックスジョブのうちから先読みデータ使用ジョブとして実行するジョブを選択するジョブ選択操作の受け付けが操作パネル４０によって行われる。これにより、先読みボタン５０に対する押下操作を行ってから、先読みデータ使用ジョブとして実行するジョブを選択することができる。
【００７１】
また、本実施形態では、上記のように、ユーザーが先読みボタン５０に対する押下操作を行って以降、画像読取部２０による先読み処理が実行中であっても、ジョブ選択操作により選択されたジョブの実行条件を設定する条件設定操作の受け付けが操作パネル４０によって行われる。これにより、先読みボタン５０に対する押下操作を行ってから、先読みデータ使用ジョブの実行条件を設定することができる。
【００７２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００７３】
たとえば、上記実施形態では、原稿搬送部が設置された画像形成装置に本発明を適用する例について説明したが、原稿搬送部が設置されていない画像形成装置（すなわち、載置読取だけしか行えない画像形成装置）にも本発明は適用可能である。
【００７４】
原稿搬送部が設置されていない画像形成装置に本発明を適用する場合には、図９に示したフローチャートにおいて、ステップＳ１１、Ｓ１３およびＳ１４が省略される。すなわち、制御部は、先読みボタンに対する押下操作を検知したとき、画像読取部による載置読取（先読み処理）を開始させる。
【００７５】
また、先読みボタンに対して予め定められた停止操作が行われたとき、実行中の先読み処理が停止されるよう構成してもよい。このように構成する場合、たとえば、先読みボタンを長押しする操作や、先読みボタンを複数回連続して押下する操作を停止操作することができる。
【符号の説明】
【００７６】
１０  印刷部
２０  画像読取部
３０  原稿搬送部
３０Ｓ  トレイセンサー
４０  操作パネル（操作部）
５０  先読みボタン
１００  複合機（画像形成装置）
１１０  制御部
１２０  記憶部
１３０  通信部
Ｇ１  コンタクトガラス（第１コンタクトガラス）
Ｇ２  コンタクトガラス（第２コンタクトガラス）
【図１】
2018037995.tif 000003
【図２】
2018037995.tif 000004
【図３】
2018037995.tif 000005
【図４】
2018037995.tif 000006
【図５】
2018037995.tif 000007
【図６】
2018037995.tif 000008
【図７】
2018037995.tif 000009
【図８】
2018037995.tif 000010
【図９】
2018037995.tif 000011
【図１０】
2018037995.tif 000012